(57)【要約】【課題】画像の投影面を形成するスクリーンの平面性を常に確保することができ、取り扱いが容易で運搬にも好適なスクリーン装置およびスクリーンシステムを提供する。【解決手段】画像の投影面を形成する略長方形状のスクリーンと、前記スクリーンを所定の方向に巻回して収納する収納部と、前記スクリーンの対角線方向に対向する頂点の近傍同士を伸縮自在に連結支持する第１のフレーム部と、前記スクリーンの対角線方向に対向する頂点の近傍同士であって前記第１のフレーム部とは異なる頂点の近傍同士を伸縮自在に連結支持する第２のフレーム部と、を備え、前記第１および第２のフレーム部は、前記スクリーンを展張または収納する際に前記スクリーンに平行な面上で互いに回動自在となるように各々の重心同士が軸着されて成る。【選択図】        図４
2006317697.tif 000002
【特許請求の範囲】
【請求項１】
画像の投影面を形成する略長方形状のスクリーンと、
前記スクリーンを巻回して収納する収納部と、
前記スクリーンの対角線方向に対向する頂点の近傍同士を伸縮自在に連結支持する第１のフレーム部と、
前記スクリーンの対角線方向に対向する頂点の近傍同士であって前記第１のフレーム部とは異なる頂点の近傍同士を伸縮自在に連結支持する第２のフレーム部と、
を備え、
前記第１および第２のフレーム部は、前記スクリーンを展張または収納する際に前記スクリーンに平行な面上で互いに回動自在となるように各々の重心同士が軸着されて成ることを特徴とするスクリーン装置。
【請求項２】
前記第１のフレーム部は、
当該第１のフレーム部の重心が通過する第１のアームと、
一方の端部が前記第１のアームの端部に固着され、他方の端部が前記スクリーンの一つの頂点の近傍に回動自在に取り付けられた第１の弾性部材と、
一方の端部が前記第１のアームの端部であって前記第１の弾性部材が固着される端部と異なる端部に固着され、他方の端部が前記スクリーンの頂点であって前記第１の弾性部材の端部が取り付けられた位置の近傍にある頂点と対角線方向で対向する頂点の近傍に回動自在に取り付けられた第２の弾性部材と、
を有し、
前記第２のフレーム部は、
当該第２のフレーム部の重心が通過し、前記第１のアームに軸着された第２のアームと、
一方の端部が前記第２のアームの端部に固着され、他方の端部が前記スクリーンの一つの頂点の近傍に回動自在に取り付けられた第３の弾性部材と、
一方の端部が前記第２のアームの端部であって前記第３の弾性部材が固着される端部と異なる端部に固着され、他方の端部が前記スクリーンの頂点であって前記第３の弾性部材の端部が取り付けられた位置の近傍にある頂点と対角線方向で対向する頂点の近傍に回動自在に取り付けられた第４の弾性部材と、
を有することを特徴とする請求項１記載のスクリーン装置。
【請求項３】
前記第１乃至第４の弾性部材は、ガススプリングまたはコイルスプリングであることを特徴とする請求項２記載のスクリーン装置。
【請求項４】
請求項１乃至３のいずれか一項に記載のスクリーン装置と、
前記スクリーン装置を装着可能な台座装置と、
を備えたことを特徴とするスクリーンシステム。
【請求項５】
前記台座装置は、
当該台座装置に装着された前記スクリーン装置を鉛直方向に上下動させるか、または所定の鉛直方向の軸を中心として前記スクリーン装置を回動させることによって前記スクリーン装置の位置を調整する位置調整手段を有することを特徴とする請求項４記載のスクリーンシステム。
【請求項６】
前記スクリーン装置と前記台座装置のいずれか一方に音声出力手段を有することを特徴とする請求項４記載のスクリーンシステム。
【請求項７】
前記音声出力手段は、
前記第１および第２のフレーム部に設けられて成ることを特徴とする請求項６記載のスクリーンシステム。
【発明の詳細な説明】
【技術分野】
【０００１】
本発明は、プロジェクタなどの投影装置から出力される画像の投影面を形成するスクリーン装置およびスクリーンシステムに関する。
【背景技術】
【０００２】
近年、プロジェクタなどの投影装置の小型化と相俟って、持ち運びが簡単で取り扱いも容易なスクリーンに対する需要が高まっている。このような可搬式のスクリーンとして、スプリングロールに巻回されたスクリーンを所定の収納ケースに収納し、パンタグラフ方式で組み立てられたアームをスプリングで支持し、このスプリングの弾性力を利用してスクリーンを引き上げて展張する技術が開示されている（例えば、特許文献１を参照）。
【０００３】
【特許文献１】特開２０００−１３１７６６号公報
【発明の開示】
【発明が解決しようとする課題】
【０００４】
しかしながら、上述した従来技術の場合、スクリーンの上端部に連結されるトップバーとスクリーンを巻回して収納する下部ケーシングとを連結するアームは、トップバーに対してはその中央部にのみ連結されているため、スクリーンを展張または収納する際にトップバー両端部付近の動きが完全に拘束されず、スクリーンの平面性を常に確保できるとは限らなかった。
【０００５】
本発明は、上記に鑑みてなされたものであり、画像の投影面を形成するスクリーンの平面性を常に確保することができ、取り扱いが容易で運搬にも好適なスクリーン装置およびスクリーンシステムを提供することを目的とする。
【課題を解決するための手段】
【０００６】
上述した課題を解決し、目的を達成するために、請求項１記載の発明に係るスクリーン装置は、画像の投影面を形成する略長方形状のスクリーンと、前記スクリーンを巻回して収納する収納部と、前記スクリーンの対角線方向に対向する頂点の近傍同士を伸縮自在に連結支持する第１のフレーム部と、前記スクリーンの対角線方向に対向する頂点の近傍同士であって前記第１のフレーム部とは異なる頂点の近傍同士を伸縮自在に連結支持する第２のフレーム部と、を備え、前記第１および第２のフレーム部は、前記スクリーンを展張または収納する際に前記スクリーンに平行な面上で互いに回動自在となるように各々の重心同士が軸着されて成ることを特徴とする。
【０００７】
請求項２記載の発明は、請求項１記載の発明において、前記第１のフレーム部は、当該第１のフレーム部の重心が通過する第１のアームと、一方の端部が前記第１のアームの端部に固着され、他方の端部が前記スクリーンの一つの頂点の近傍に回動自在に取り付けられた第１の弾性部材と、一方の端部が前記第１のアームの端部であって前記第１の弾性部材が固着される端部と異なる端部に固着され、他方の端部が前記スクリーンの頂点であって前記第１の弾性部材の端部が取り付けられた位置の近傍にある頂点と対角線方向で対向する頂点の近傍に回動自在に取り付けられた第２の弾性部材と、を有し、前記第２のフレーム部は、当該第２のフレーム部の重心が通過し、前記第１のアームに軸着された第２のアームと、一方の端部が前記第２のアームの端部に固着され、他方の端部が前記スクリーンの一つの頂点の近傍に回動自在に取り付けられた第３の弾性部材と、一方の端部が前記第２のアームの端部であって前記第３の弾性部材が固着される端部と異なる端部に固着され、他方の端部が前記スクリーンの頂点であって前記第３の弾性部材の端部が取り付けられた位置の近傍にある頂点と対角線方向で対向する頂点の近傍に回動自在に取り付けられた第４の弾性部材と、を有することを特徴とする。
【０００８】
請求項３記載の発明は、請求項２記載の発明において、前記第１乃至第４の弾性部材は、ガススプリングまたはコイルスプリングであることを特徴とする。
【０００９】
請求項４記載の発明に係るスクリーンシステムは、請求項１乃至３のいずれか一項に記載のスクリーン装置と、前記スクリーン装置を装着可能な台座装置と、を備えたことを特徴とする。
【００１０】
請求項５記載の発明は、請求項４記載の発明において、前記台座装置は、当該台座装置に装着された前記スクリーン装置を鉛直方向に上下動させるか、または所定の鉛直方向の軸を中心として前記スクリーン装置を回動させることによって前記スクリーン装置の位置を調整する位置調整手段を有することを特徴とする。
【００１１】
請求項６記載の発明は、請求項４記載の発明において、前記スクリーン装置と前記台座装置のいずれか一方に音声出力手段を有することを特徴とする。
【００１２】
請求項７記載の発明は、請求項６記載の発明において、前記音声出力手段は、前記第１および第２のフレーム部に設けられて成ることを特徴とする。
【発明の効果】
【００１３】
本発明によれば、画像の投影面を形成する略長方形状のスクリーンと、前記スクリーンを所定の方向に巻回して収納する収納部と、前記スクリーンの対角線方向に対向する頂点の近傍同士を伸縮自在に連結支持する第１のフレーム部と、前記スクリーンの対角線方向に対向する頂点の近傍同士であって前記第１のフレーム部とは異なる頂点の近傍同士を伸縮自在に連結支持する第２のフレーム部と、を備え、前記第１および第２のフレーム部は、前記スクリーンを展張または収納する際に前記スクリーンに平行な面上で互いに回動自在となるように各々の重心同士が軸着されて成ることにより、画像の投影面を形成するスクリーンの平面性を常に確保することができ、取り扱いが容易で運搬にも好適なスクリーン装置およびスクリーンシステムを提供することが可能となる。
【発明を実施するための最良の形態】
【００１４】
以下、添付図面を参照して本発明を実施するための最良の形態（以後、実施の形態と称する）を説明する。
【００１５】
（実施の形態１）
図１は、本発明の実施の形態１に係るスクリーン装置の裏面（投影面の裏側の面）の構成を示す図である。また、図２は図１の矢視Ａ方向の側面図である。これらの図に示すスクリーン装置１は、画像の投影面を形成する長方形状のスクリーン２と、このスクリーン２の上端部に連結されて成るトップバー３と、弾性力の作用によってスクリーン２をその下端部から巻回するスプリングロール４と、このスプリングロール４を収納する収納部５とを備える。
【００１６】
スクリーン２は通常用いられているスクリーンであって、ガラスまたはＰＥＴ（ポリエチレンテレフタレート）から成る基層と、この基層の表面に接着されて成る反射層と、この反射層の表面に形成されて成るビーズ層または偏光層と、このビーズ層または偏光層の表面を被覆する樹脂層と、を備える。
【００１７】
トップバー３と収納部５とは、二つのフレーム部６および７によって連結支持されている。すなわち、フレーム部６および７は、トップバー３の一端部と収納部５の一端部とをそれぞれ連結するものであり、互いのフレーム部の重心でスクリーン２と平行な面上で互いに回動自在となるように軸着され、トップバー３がスプリングロール４に対して上下動することによってスクリーン２を展張または収納するのを補助するとともに、スクリーン２の平面性を確保する機能を有する。
【００１８】
フレーム部６および７の詳細な構成を説明する。フレーム部６は、中空状のアーム６１と、このアーム６１の両端にそれぞれ係止され、アーム６１をスクリーン２の一つの対角線方向に付勢するガススプリング６２および６３を備える。フレーム部７もフレーム部６と同様、中空状のアーム７１と、このアーム７１の両端にそれぞれ係止され、スクリーン２の対角線方向であってアーム６１が付勢されるのとは異なる対角線方向にアーム７１を付勢するガススプリング７２および７３と、を備える。これら二つのアーム６１および７１は、各々の重心でスクリーン２と平行な面上で互いに回動自在となるように支軸８によって軸着されている。このようなアーム６１および７１として、軽量であって強度が高いアルミニウム製の中空パイプを用いればより好ましい。
【００１９】
ガススプリング６２は、オイルと圧縮ガス（窒素ガス）が封入されて密閉されたシリンダ６２ａと、このシリンダの一端から突出してシリンダ６２ａに対して伸縮自在なピストンロッド６２ｂと、シリンダ６２ａの他端に設けられて他の部材をガススプリング６２に取り付けるための孔部を有する取付部６２ｃと、この取付部６２ｃと略同形であってピストンロッド６２ｂの突出する端部に設けられて成る取付部６２ｄとを備える。このガススプリング６２は、ピストンロッド６２ｂの伸縮に伴うシリンダ６２ａ内部の体積変化によって生じるシリンダ６２ａの内部の圧縮ガスの圧力変化を弾性力として利用するものである。
【００２０】
以上の構成を備えたガススプリング６２は、他の弾性部材に比べて弾性定数が比較的低いため、長いストロークに対しても一定の弾性力を発生することができる。また、弾性力と減衰力のバランスによってピストンロッド６２ｂの伸縮速度を適宜調整することができる。なお、この実施の形態１においては、その取付姿勢に関係なく使用可能なタイプのガススプリングを適用するものとする。
【００２１】
他のガススプリング６３、７２、および７３も、上述したガススプリング６２と同様の構成を有している。このため、各ガススプリングの構成部位には、ガススプリング６２の場合と同様に、各ガススプリングの符号の末尾にアルファベット（ａ〜ｄ）を加えたものを符号として付してある。すなわち、各ガススプリングの符号の末尾には、シリンダの場合にはａを、ピストンロッドの場合にはｂを、シリンダ側の取付部の場合にはｃを、ピストンロッド側の取付部の場合にはｄを、それぞれ付してある。なお、これらのガススプリング６２、６３、７２、および７３の弾性係数は全て同一である。
【００２２】
フレーム部６において、ガススプリング６２の取付部６２ｃはアーム６１の一端部に固着され、アーム６１の長手方向とシリンダ６２ａの長手方向とが常に一直線上に来る態様をなす。また、取付部６２ｄはトップバー３の端部に回動自在に取り付けられる。これに対し、ガススプリング６３の取付部６３ｃはアーム６１の端部であって取付部６２ｃが固着される端部とは異なる端部に固着され、取付部６３ｄは、収納部５の端部であって取付部６２ｄが取り付けられたトップバー３の端部と対角線方向で対向する端部に回動自在に取り付けられる。この結果、フレーム部６の中心軸は、トップバー３の上昇位置に関わらずに常にスクリーン２の対角線方向を指向する。
【００２３】
なお、フレーム部７も、ここで説明したフレーム部６と同様の構成を有する。したがって、フレーム部６および７が第１および第２のフレーム部のいずれかにそれぞれ対応する。フレーム部６を第１のフレーム部とする場合、アーム６１が第１のアーム、ガススプリング６２および６３がそれぞれ第１および第２の弾性部材である。この場合には、フレーム部７が第２のフレーム部であり、アーム７１が第２のアーム、ガススプリング７２および７３がそれぞれ第３および第４の弾性部材である。
【００２４】
図３は、スクリーン装置１の未使用時にスクリーン２を収納部５に収納した状態を示す図であり、図１と同じ方向（スクリーン２の背面側）から見た図である。この図３に示す状態では、ガススプリング６２が最も圧縮されてピストンロッド６２ｂのほぼ全体がシリンダ６２ａの内部に収容されており、ガススプリング６２の全長が最小となっている（他のガススプリング６３、７２、および７３も同じ）。
【００２５】
このようにスクリーン２を収納した状態で、トップバー３と収納部５との位置関係を固定する手段を設けておけば、図３に示す状態でスクリーン装置１の収納および運搬を容易に行うことができる。例えば、トップバー３の適当な位置に鉤型のフックを設ける一方、収納部５にはそのフックを掛止可能な掛止部材を適当な位置に設けることにより、スクリーン２を収納した状態をフックと掛止部材で保持する構成にしてもよい。さらに、スクリーン２を収納した状態で、スクリーン２、トップバー３、フレーム部６および７を収納部５との間で被覆可能なカバー部材を設け、このカバー部材の適当な位置に取っ手を形成しておけば、スクリーン装置１を運搬する際に一段と好適である。
【００２６】
図４は、図３に示す状態からトップバー３を引き上げてスクリーン２を展張していく過程を模式的に示す説明図である。状態（Ｉ）は図３と同じ状態であり、スクリーン２がスプリングロール４によって最大限巻回されて収納された状態を示している。この状態（Ｉ）において、スクリーン２がスプリングロール４から受ける鉛直下向きの弾性力よりも大きな鉛直上向きの力をトップバー３に加えると、トップバー３は上昇を開始する。
【００２７】
この際に支軸８とともに上昇する系で見た場合、アーム６１は支軸８を中心として時計回りに回転する一方、アーム７１は支軸８を中心として半時計回りに回転する。さらに、同じ系で見た場合、ピストンロッド６２ｂ、６３ｂ、７２ｂ、および７３ｂは、それぞれ支軸８から遠ざかる方向に延出する。状態（II）はスクリーン２が上昇する途中の中間状態を示している。なお、この中間状態（II）で適当な下向きの力を外部から加えることによってトップバー３の上昇を止めることも可能である。
【００２８】
状態（III）は、トップバー３が収納部５に対して最も上昇してスクリーン２が最大限展張した状態を示しており、図１に示す状態に相当している。なお、ガススプリング６２、６３、７２、および７３の圧力を調整したり、スプリングロール４内に設置するスプリングの弾性力を調整または設定することにより、例えば状態（Ｉ）で所定の上向きの力を加えた場合には一気に状態（III）に到達させることも可能であるし、常に上向きの力を加えなければ状態（III）に到達できないようにすることも可能である。後者の場合には、利用者が所望の位置で引き上げを停止させることができるので、使用場所や使用形態に応じてスクリーン２の展張状態を調整することが可能となる。
【００２９】
ここまでスクリーン装置１を使用する場合の動作を説明したが、スクリーン２を収納する場合には、上述したのと逆向きの動作（状態（III）→状態（Ｉ））を行えばよい。この場合、アーム６１および７１の支軸８に対する回転方向は上述したスクリーン２の展張時と反対になり、各ピストンロッドは圧縮されて各々対応するシリンダの内部に収納される。この際にも、スクリーン２を下降させるために外部から加える下向きの力の大きさによっては、スクリーン２の下降を抑制して適当な位置（たとえば状態（II）に示す位置）で静止させることもできる。
【００３０】
なお、以上の説明においては、フレーム部６および７に設けられる第１乃至第４の弾性部材としてガススプリング６２、６３、７２、および７３を適用した場合を説明したが、これらのガススプリングの代わりとして各ガススプリングと同じ方向に伸縮自在なコイルスプリングを適用してもよい。この場合にも、各コイルスプリングの弾性係数は全て同じである。
【００３１】
以上説明した本発明の実施の形態１によれば、画像の投影面を形成する略長方形状のスクリーンと、前記スクリーンを所定の方向に巻回して収納する収納部と、前記スクリーンの対角線方向に対向する頂点の近傍同士を伸縮自在に連結支持する第１のフレーム部と、前記スクリーンの対角線方向に対向する頂点の近傍同士であって前記第１のフレーム部とは異なる頂点の近傍同士を伸縮自在に連結支持する第２のフレーム部と、を備え、前記第１および第２のフレーム部は、前記スクリーンを展張または収納する際に前記スクリーンに平行な面上で互いに回動自在となるように各々の重心同士が軸着されて成ることにより、画像の投影面を形成するスクリーンの平面性を常に確保することができ、取り扱いが容易で運搬にも好適なスクリーン装置を提供することが可能となる。
【００３２】
また、この実施の形態１によれば、二つのフレーム部によってスクリーンを展張するため、如何なる状態においてもスクリーンが捩れにくくなる。したがって、スクリーンを展張したり収納したりする際にスクリーンの表面に傷付くのを防止することができる。
【００３３】
（実施の形態２）
図５は、本発明の実施の形態２に係るスクリーンシステムの構成を示す説明図である。同図に示すスクリーンシステム１１は、スクリーン装置２１と、このスクリーン装置２１を着脱自在に装着可能な台座装置３１とを備える。
【００３４】
スクリーン装置２１は、上記実施の形態１のスクリーン装置１と同様の構成を有する。このため、スクリーン装置１と同じ機能を備えた部位については、スクリーン装置１と同じ符号を付してある。このスクリーン装置２１には、台座装置３１と着脱自在に接続するために、収納部５の底面中央部を鉛直方向に貫通する雌ネジ孔からなる接続部２２が設けられている。
【００３５】
スクリーン装置２１のフレーム部２６は、アーム２３の両端にガススプリング６２および６３の取付部６２ｃおよび６３ｃがそれぞれ固着されている。このアーム２３の内部には音声を出力する音声出力手段であるスピーカが内蔵されており、台座装置３１から送られてくる音声信号を音声に変換して外部に出力する。同様に、フレーム部２７を構成するアーム２４（両端がガススプリング７２および７３の取付部７２ｃおよび７３ｃにそれぞれ固着されている）にもスピーカが内蔵されている。フレーム部２６および２７がスクリーン２を展張する際の動作は、上記実施の形態１においてフレーム部６および７がスクリーン２を展張する際の動作と同じである（図４を参照）。
【００３６】
台座装置３１は、床に設置される台座３０と、台座３０の略中央から立設された円筒形状の支柱３３とから構成される。台座３０の中央部には、内径が支柱３３の外径と略等しい円筒形状の支柱支持部３４が軸受等により台座３０に対して回転可能に設けられており、支柱支持部３４の内周面には全長に亘って雌ネジが切られている。一方、支柱３３のスクリーン装置２１側の端部（図５では上端部）には、所定長さの雄ネジからなる接続部３２が設けられており、支柱３３の台座３０側（図５では下部）の外周には、支柱支持部３４の全長を超える長さに亘って雄ネジが切られている。この雄ネジが支柱支持部３４の内周面に設けられた雌ネジと螺合することにより、支柱３３は台座３０に接続される。さらに、接続部３２が接続部２２に螺着されることにより、スクリーン装置２１が台座装置３１に装着される。支柱３３および支柱支持部３４は、それぞれ図示しない回転駆動手段に連結されている。
【００３７】
図６は、実施の形態２に係るスクリーンシステムの台座装置の電気的な構成を示すブロック図である。この台座装置３１は、外部からの音声信号の入力を受ける信号入力部３５、使用者が各種操作を行うための操作指示信号の入力を受ける操作部３６、スクリーン装置２１の位置調整を行う位置調整部３７、各種情報の記憶、管理を行う記憶部３８、信号入力部３５を介して入力される音声信号をそのまま、あるいは任意の信号処理や増幅を施されて出力する信号出力部３９、および台座装置３１の動作制御や音声信号の処理、増幅を行う制御部４０を備える。
【００３８】
信号入力部３５は、外部から送られてくるオーディオ信号を入力し、この信号を制御部４０に送出する機能を備える。
【００３９】
信号出力部３９は、信号入力部３５を介して入力されたオーディオ信号を、そのまま、あるいは、後述する制御部４０が有するイコライザ等により信号処理されたり、増幅器により増幅されたりした後、外部に送出する信号出力機能を有する。また、スピーカに増幅器が内蔵されている場合に、この増幅器に電源電圧を供給するための電源電圧出力機能を有する。信号出力部３９がスピーカにオーディオ信号と電源電圧、またはスピーカ信号を供給するためには、スクリーン装置２１と台座装置３１とをオーディオケーブルや、電源ケーブル、スピーカケーブルで結ぶ必要があるが、これらケーブルは上述した円筒形状の支柱３３の中空部を通過させればよい。
【００４０】
操作部３６は、電源の入切を含む各種操作を指示する操作指示信号の入力を受け付けるものであり、台座装置３１の表面に各種操作ボタン等を設けることによって実現してもよいし、遠隔操作用のリモコンと、このリモコンが送出する信号を受信する受信部とを設けることによって実現してもよい。
【００４１】
位置調整部３７は、操作部３６から入力された操作指示信号に基づいて、スクリーン装置２１の鉛直方向の高さを上下動したり、所定の鉛直方向の軸を中心としてスクリーン装置２１を回動したりする機能を備える。
【００４２】
記憶部３８は、フラッシュメモリ等を用いて実現され、台座装置３１の動作制御を行う各種プログラムなどを記録する。このような記憶部３８を、メモリカード等の記憶媒体を装着可能な補助記憶装置を用いて実現してもよい。
【００４３】
制御部４０は、ＣＰＵ（Central Processing Unit）等を用いて実現され、操作部３６から送られてくる操作指示信号に基づいて記憶部３８から各種動作プログラムを読み出すことにより、台座装置３１の動作制御や演算などを行う。
【００４４】
なお、この実施の形態２では、台座装置３１の表面に、液晶ディスプレイ、プラズマディスプレイ、または有機ＥＬ（Electroluminescence）ディスプレイなどによって実現され、投影内容や動作、およびスピーカーから出力される音声の音量や音質に関する設定情報などを表示する表示部をそれぞれ設置してもよい。
【００４５】
以上の構成を有するスクリーンシステム１１の動作を説明する。ここでは、スクリーン装置２１が予め台座装置３１に装着されており、スピーカと信号出力部３９との電気的な接続が確立されているものとする。この状態で台座装置３１は、操作部３６の操作指示信号に基づいて、スクリーン装置２１の位置調整を行う。具体的には、操作指示信号により図示しない回転駆動手段を駆動させて支柱支持部３４を回転させれば、支柱３３が上下動することによりスクリーン装置２１を上下させることができる。また、操作指示信号により図示しない回転駆動手段を駆動させて支柱３３を回転させれば、スクリーン装置２１を支柱３３の軸回りに回動させることができる。合わせて、信号入力部３５を介して入力されたオーディオ信号を、制御部４０、信号出力部３９を介してスクリーン装置２１に送信すると、スクリーン装置２１では、信号出力部３９を介して受信した信号に基づいて、アーム２３および２４に内蔵されたスピーカから音声を出力する。
【００４６】
以上説明した本発明の実施の形態２によれば、画像の投影面を形成する略長方形状のスクリーンと、前記スクリーンを所定の方向に巻回して収納する収納部と、前記スクリーンの対角線方向に対向する頂点の近傍同士を伸縮自在に連結支持する第１のフレーム部と、前記スクリーンの対角線方向に対向する頂点の近傍同士であって前記第１のフレーム部とは異なる頂点の近傍同士を伸縮自在に連結支持する第２のフレーム部と、を備え、前記第１および第２のフレーム部は、前記スクリーンを展張または収納する際に前記スクリーンに平行な面上で互いに回動自在となるように各々の重心同士が軸着されて成るスクリーン装置と、このスクリーン装置を装着可能な台座装置とを備えることにより、投影面の平面性を常に確保することができ、取り扱いも容易なスクリーンシステムを提供することが可能となる。
【００４７】
また、この実施の形態２によれば、スクリーン装置を装着する台座装置側でスクリーン装置の上下動や所定の鉛直方向の軸を中心とするスクリーン装置の回動を行うことができるので、スクリーンを展張した後、台座装置によってスクリーンの位置調整を自動的に行うことができる。
【００４８】
（その他の実施の形態）
ここまで、本発明を実施するための最良の形態を実施の形態１および２として詳述してきたが、本発明はそれら二つの実施の形態によってのみ限定されるべきものではない。例えば、上記実施の形態２で説明した台座装置３１に対してプロジェクタ等の投影装置を接続可能な構成とすれば、テレビ等の映像をスクリーン装置２１に投影すると同時にその映像に対応する音声をスクリーン装置２１の裏側から出力することができるので、音声があたかも画像そのものから発せられているような臨場感溢れる感覚をもって視聴することができる。
【００４９】
また、台座装置にビデオ再生装置、ＤＶＤ（Digital Versatile Disk）再生装置、ハードディスク再生装置などの機能を具備させてもよい。さらに、台座装置にそれら各種映像メディアのうち複数の映像メディアの機能を具備させ、その中から利用者が所望の映像メディアを選択できるようにしてもよい。このような台座装置を構成することにより、一段と多様な映像メディアに柔軟に対応することが可能なスクリーンシステムを提供することができる。
【００５０】
このように、本発明は、ここでは記載していないさまざまな実施の形態等を含みうるものであり、特許請求の範囲により特定される技術的思想を逸脱しない範囲内において種々の設計変更等を施すことが可能である。
【図面の簡単な説明】
【００５１】
【図１】本発明の実施の形態１に係るスクリーン装置の構成を示す図である。
【図２】図１の矢視Ａ方向の側面図である。
【図３】本発明の実施の形態１に係るスクリーン装置においてスクリーン収納時の状態を示す図である。
【図４】本発明の実施の形態１に係るスクリーン装置においてスクリーンを展張していく過程を示す説明図である。
【図５】本発明の実施の形態２に係るスクリーンシステムの構成を示す図である。
【図６】本発明の実施の形態２に係るスクリーンシステムの台座装置の電気的な構成を示すブロック図である。
【符号の説明】
【００５２】
１、２１  スクリーン装置
２  スクリーン
３  トップバー
４  スプリングロール
５  収納部
６、７、２６、２７  フレーム部
８  支軸
１１  スクリーンシステム
２２、３２  接続部
２３、２４、６１、７１  アーム
３０  台座
３１  台座装置
３３  支柱
３４  支柱支持部
３５  信号入力部
３６  操作部
３７  位置調整部
３８  記憶部
３９  信号出力部
４０  制御部
６２、６３、７２、７３  ガススプリング
６２ａ、６３ａ、７２ａ、７３ａ  シリンダ
６２ｂ、６３ｂ、７２ｂ、７３ｂ  ピストンロッド
６２ｃ、６２ｄ、６３ｃ、６３ｄ、７２ｃ、７２ｄ、７３ｃ、７３ｄ  取付部
【図１】
2006317697.tif 000003
【図２】
2006317697.tif 000004
【図３】
2006317697.tif 000005
【図４】
2006317697.tif 000006
【図５】
2006317697.tif 000007
【図６】
2006317697.tif 000008